(57)【要約】【課題】無線通信システムにおけるブロードキャストおよびマルチキャストのサービスのためのオーバヘッド情報の伝送。【解決手段】複数の無線技術を利用するシステムにおいてブロードキャストとマルチキャストのサービスのためのオーバヘッド情報を伝送するために、スーパーフレームの中でＯＦＤＭに使用されるタイムスロットが、最初に確認される。ＯＦＤＭ用に使用されるタイムスロットの中で送られるべき複数のストリームのためのオーバヘッド情報が生成される。オーバヘッド情報は、ストリームのために使用されるタイムスロット、そして符号化および変調を伝え、また様々な形式で与えられることができる。複数のレコードが、ストリーム用のオーバヘッド情報のために形成されることができる。ストリーム用のオーバヘッド情報が処理され、そして、スーパーフレーム中のストリーム用のデータと共に時分割多重化される。スーパーフレームの中でＯＦＤＭ用に使用されるタイムスロットを示す情報は、別々に送られてもよいし、あるいはオーバヘッド情報に含まれてもよい。次のスーパーフレーム中のストリームのためのオーバヘッド情報において何らかの変更があるかどうかを示すために、インジケータはまた各ストリームに付けられてもよい。【選択図】      図４
2008502222.tif 000002
【特許請求の範囲】
【請求項１】
無線通信システムによって利用される少なくとも２つの無線技術の中の第1無線技術のために使用されるタイムスロットを確認し、そして、前記第１無線技術のために使用される前記タイムスロット中で送られる複数のストリームのためのオーバヘッド情報を生成するコントローラと、なおここでは、各ストリームのための前記オーバヘッド情報は、前記ストリームに割り当てられるタイムスロットを示す；そして
伝送のための前記複数のストリームのための前記オーバヘッド情報を処理するプロセッサと；
を備える装置。
【請求項２】
前記第1無線技術は、直交周波数分割多重（ＯＦＤＭ）であり、そして、前記少なくとも２つの無線技術は、ＯＦＤＭと広帯域符号分割多元接続（ＷＣＤＭＡ）を含む、請求項１記載の装置。
【請求項３】
各ストリームのための前記オーバヘッド情報は、更に、前記ストリームのために使用される符号化および変調を示す、請求項１記載の装置。
【請求項４】
前記コントローラは、前記複数のストリームのための前記オーバヘッド情報に対し複数のレコードを形成する、請求項１記載の装置。
【請求項５】
前記コントローラは、更に、前記第１無線技術のために使用される前記タイムスロットを示す情報を生成する、請求項１記載の装置。
【請求項６】
これからやってくる時間間隔中のストリームのための前記オーバヘッド情報において何らかの変更があるかどうかを示すために、前記コントローラは、各ストリームに、インジケータを付ける、請求項１記載の装置。
【請求項７】
無線通信システムにおけるオーバヘッド情報を伝送する方法であって、
前記無線通信システムによって利用される少なくとも２つの無線技術の中の第1無線技術のために使用されるタイムスロットを確認することと;
前記第１無線技術のために使用される前記タイムスロット中で送られる複数のストリームのためのオーバヘッド情報を決定することと、なおここでは、生成するコントローラと、なおここでは、各ストリームのための前記オーバヘッド情報は、前記ストリームに割り当てられるタイムスロットを示す；そして
伝送のための前記複数のストリームのための前記オーバヘッド情報を処理することと;
を備える、方法。
【請求項８】
前記複数のストリームのための前記オーバヘッド情報に対し複数のレコードを形成すること、
を更に備える、請求項７記載の方法。
【請求項９】
これからやってくる時間間隔中のストリームのための前記オーバヘッド情報において何らかの変更があるかどうかを示すために、各ストリームにインジケータを付けること、
を更に備える、請求項７記載の方法。
【請求項１０】
無線通信システムによって利用される少なくとも２つの無線技術の中の第1無線技術のために使用されるタイムスロットを確認するための手段と；
前記第１無線技術のために使用される前記タイムスロット中で送られる複数のストリームのためのオーバヘッド情報を決定するための手段と、なおここでは、各ストリームのための前記オーバヘッド情報は、前記ストリームに割り当てられるタイムスロットを示す；そして
伝送のための前記複数のストリームのための前記オーバヘッド情報を処理するための手段と；
を備える装置。
【請求項１１】
前記複数のストリームのための前記オーバヘッド情報に対し複数のレコードを形成するための手段、
を更に備える、請求項１０記載の装置。
【請求項１２】
これからやってくる時間間隔中のストリームのための前記オーバヘッド情報において何らかの変更があるかどうかを示すために、各ストリームにインジケータを付けるための手段、
を更に備える、請求項１０記載の装置。
【請求項１３】
複数のタイムスロットで構成されたスーパーフレームの中で直交周波数分割多重（ＯＦＤＭ）のために使用されるタイムスロットを確認し、そして、ＯＦＤＭのために使用される前記タイムスロット中で送られる複数のストリームのためのオーバヘッド情報を決定するコントローラと、なおここでは、前記スーパーフレーム中の残りのタイムスロットは広帯域符号分割多元接続（Ｗ−ＣＤＭＡ）のために使用され、そして、各ストリームのための前記オーバヘッド情報は、前記スーパーフレーム中の前記ストリームに割り当てられる少なくとも１つのタイムスロットを示す；そして
前記複数のストリームのための前記オーバヘッド情報を処理し、そして、前記スーパーフレーム中の前記複数のストリーム用のデータで前記処理されたオーバヘッド情報を時分割多重化するプロセッサと；
を備える装置。
【請求項１４】
各ストリームのための前記オーバヘッド情報は、更に、インナー符号レート、アウター符号レート、および前記ストリーム用の変調方式、あるいはそれらの組合せを示す、請求項１３記載の装置。
【請求項１５】
各ストリームのための前記オーバヘッド情報は、更に、前記ストリームのためのトランスポートブロックサイズを、あるいは前記ストリームのための前記スーパーフレーム中で送られるコードブロックの数を、あるいは両方を示す、請求項１３記載の装置。
【請求項１６】
前記コントローラは、ＯＦＤＭのために使用される前記タイムスロットに対し複数のレコードを形成し、そして、各レコードは、ＯＦＤＭのために使用される少なくとも１つのタイムスロットをカバーしそして前記少なくとも１つのタイムスロット上で送られるストリームのためのオーバヘッド情報を搬送する、請求項１３記載の装置。
【請求項１７】
前記コントローラは、前記スーパーフレーム中の前記複数のタイムスロットのための複数のレコードを、前記スーパーフレーム中の前記複数のタイムスロットの中の少なくとも１つのタイムスロットの各セットに対し１つのレコードで、形成し、なおここでは、各レコードは、少なくとも１つのタイムスロットの前記対応するセットがＯＦＤＭのために使用されるのかどうかを示し、そして、もしＯＦＤＭのために使用されるのであれば、更に、少なくとも１つのタイムスロットの前記セットの中で送られるストリームのためのオーバヘッド情報を搬送する、請求項１３記載の装置。
【請求項１８】
前記コントローラは、前記複数のストリームのための複数のレコードを形成し、そして、各レコードは、前記複数のストリームのうちの１つのためのオーバヘッド情報を搬送する、請求項１３記載の装置。
【請求項１９】
次のスーパーフレーム中のストリームのための前記オーバヘッド情報において何らかの変更があるかどうかを示すために、前記コントローラは、各ストリームにインジケータを付ける、請求項１３記載の装置。
【請求項２０】
前記スーパーフレームは複数のアウターフレームを備え、各アウターフレームは複数のフレームを備え、そして、各フレームは少なくとも２つのタイムスロットを備える、請求項１３記載の装置。
【請求項２１】
前記コントローラは、前記スーパーフレームの各アウターフレーム中の少なくとも１つのタイムスロットの１セットを、各ストリームに割り当てる、請求項２０記載の装置。
【請求項２２】
前記コントローラは、ＯＦＤＭに対し各フレーム中のタイムスロットの１セットを割り当て、そして、タイムスロットの同じセットが、各アウターフレームの前記複数のフレームのためのＯＦＤＭに対し割り当てられる、請求項２０記載の装置。
【請求項２３】
前記コントローラは更に、前記スーパーフレーム中でＯＦＤＭ用に使用される前記タイムスロットを示す情報を生成する、請求項１３記載の装置。
【請求項２４】
無線通信システムにおいてオーバヘッド情報を伝送する方法であって、
複数のタイムスロットで構成されたスーパーフレームの中で直交周波数分割多重（ＯＦＤＭ）のために使用されるタイムスロットを確認することと、なおここでは、前記スーパーフレーム中の残りのタイムスロットは広帯域符号分割多元接続（Ｗ−ＣＤＭＡ）のために使用される；
ＯＦＤＭのために使用される前記タイムスロット中で送られる複数のストリームのためのオーバヘッド情報を決定することと、なおここでは、各ストリームのための前記オーバヘッド情報は、前記スーパーフレーム中の前記ストリームに割り当てられる少なくとも１つのタイムスロットを示す；そして
前記スーパーフレーム中の前記複数のストリーム用のデータで前記複数のストリームのための前記オーバヘッド情報を時分割多重化することと；
を備える方法。
【請求項２５】
ＯＦＤＭのために使用される前記タイムスロットに対し複数のレコードを形成すること、
を更に備え、そして、各レコードは、ＯＦＤＭのために使用される少なくとも１つのタイムスロットをカバーしそして前記少なくとも１つのタイムスロット上で送られるストリームのためのオーバヘッド情報を搬送する、請求項２４記載の方法。
【請求項２６】
次のスーパーフレーム中のストリームのための前記オーバヘッド情報において何らかの変更があるかどうかを示すために、各ストリームにインジケータを付けること、
を更に備える、請求項２４記載の方法。
【請求項２７】
複数のタイムスロットで構成されたスーパーフレームの中で直交周波数分割多重（ＯＦＤＭ）のために使用されるタイムスロットを確認するための手段と、なおここでは、前記スーパーフレーム中の残りのタイムスロットは広帯域符号分割多元接続（Ｗ−ＣＤＭＡ）のために使用される；
ＯＦＤＭのために使用される前記タイムスロット中で送られる複数のストリームのためのオーバヘッド情報を決定するための手段と、なおここでは、各ストリームのための前記オーバヘッド情報は、前記スーパーフレーム中の前記ストリームに割り当てられる少なくとも１つのタイムスロットを示す；そして
前記スーパーフレーム中の前記複数のストリーム用のデータで前記複数のストリームのための前記オーバヘッド情報を時分割多重化するための手段と；
を備える装置。
【請求項２８】
ＯＦＤＭのために使用される前記タイムスロットに対し複数のレコードを形成するための手段を、
更に備え、そして、各レコードは、ＯＦＤＭのために使用される少なくとも１つのタイムスロットをカバーしそして前記少なくとも１つのタイムスロット上で送られるストリームのためのオーバヘッド情報を搬送する、請求項２７記載の装置。
【請求項２９】
次のスーパーフレーム中のストリームのための前記オーバヘッド情報において何らかの変更があるかどうかを示すために、各ストリームにインジケータを付けるための手段、
を更に備える、請求項２７記載の装置。
【請求項３０】
無線通信システムによって利用される少なくとも２つの無線技術の中の第1無線技術のために使用されるタイムスロット中で伝送される複数のストリームのためのオーバヘッド情報を得るコントローラと、なおここでは、各ストリームのための前記オーバヘッド情報は、前記ストリームに割り当てられる少なくとも１つのタイムスロットを示す；そして
選択されたストリームのための少なくとも1つのタイムスロットを前記ストリームのためのデータを得るために処理するプロセッサと；
を備える装置。
【請求項３１】
前記第1無線技術は、直交周波数分割多重（ＯＦＤＭ）であり、そして、前記少なくとも２つの無線技術は、ＯＦＤＭと広帯域符号分割多元接続（ＷＣＤＭＡ）を含む、請求項３１記載の装置。
【請求項３２】
各ストリームのための前記オーバヘッド情報は、前記ストリームのために使用される符号化および変調、前記ストリームのために使用されるトランスポートブロックサイズ、あるいはそれらの組合せを示す、請求項３０記載の装置。
【請求項３３】
前記コントローラは、前記第1無線技術のために使用される前記タイムスロットを示す情報を得る、請求項３０記載の装置。
【請求項３４】
前記コントローラは、前記第1無線技術のために使用される前記タイムスロットに対し複数のレコードを受け取り、そして、各レコードは、前記第1無線技術のために使用される少なくとも１つのタイムスロットをカバーしそして前記少なくとも１つのタイムスロット上で送られるストリームのためのオーバヘッド情報を搬送する、請求項３０記載の装置。
【請求項３５】
前記コントローラは、前記複数のストリームのための複数のレコードを受け取り、そして、各レコードは、前記複数のストリームのうちの１つのためのオーバヘッド情報を搬送する、請求項３０記載の装置。
【請求項３６】
これからやってくる時間間隔中の選択されたストリームのための前記オーバヘッド情報において何らかの変更があるかどうかを示すために、前記選択されたストリームと共に送られたインジケータを、前記コントローラが受け取る、請求項３０記載の装置。
【請求項３７】
前記コントローラは、予め定められた持続時間の各スーパーフレーム中の前記複数のストリームのための前記オーバヘッド情報を得、そして、前記プロセッサは、各スーパーフレーム中の前記選択されたストリームのための前記少なくとも１つのタイムスロットを処理する、請求項３０記載の装置。
【請求項３８】
無線通信システムにおいてデータを受け取る方法であって、
前記無線通信システムによって利用される少なくとも２つの無線技術の中の第1無線技術のために使用されるタイムスロット中で伝送される複数のストリームのためのオーバヘッド情報を得ることと、なおここでは、各ストリームのための前記オーバヘッド情報は、前記ストリームに割り当てられる少なくとも１つのタイムスロットを示す；そして
前記ストリームのためのデータを得るために選択されたストリームに対し少なくとも1つのタイムスロットを処理することと;
を備える方法。
【請求項３９】
前記複数のストリームのための前記オーバヘッド情報に対する複数のレコードを受け取ることと；そして
前記選択されたストリームのために使用される前記少なくとも１つのタイムスロットを決定するために前記選択されたストリームに対するレコードを処理することと；
を更に備える、請求項38記載の方法。
【請求項４０】
これからやってくる時間間隔中の選択されたストリームのための前記オーバヘッド情報において何らかの変更があるかどうかを示すために、前記選択されたストリームと共に送られたインジケータを受け取ること、
を更に備える請求項３８記載の方法。
【請求項４１】
無線通信システムによって利用される少なくとも２つの無線技術の中の第1無線技術のために使用されるタイムスロット中で伝送される複数のストリームのためのオーバヘッド情報を得るための手段と、なおここでは、各ストリームのための前記オーバヘッド情報は、前記ストリームに割り当てられる少なくとも１つのタイムスロットを示す；そして
選択されたストリームのための少なくとも1つのタイムスロットを前記ストリームのためのデータを得るために処理するための手段と；
を備える装置。
【請求項４２】
前記複数のストリームのための前記オーバヘッド情報に対する複数のレコードを受け取るための手段と；そして
前記選択されたストリームのために使用される前記少なくとも１つのタイムスロットを決定するために前記選択されたストリームに対するレコードを処理するための手段と；
を更に備える、請求項41記載の装置。
【請求項４３】
これからやってくる時間間隔中の前記選択されたストリームのための前記オーバヘッド情報において何らかの変更があるかどうかを示すために、前記選択されたストリームと共に送られたインジケータを受け取るための手段；
を更に備える請求項４１記載の装置。
【発明の詳細な説明】
【技術分野】
【０００１】
（米国特許法１１９条のもとでの優先権の主張）
本特許出願は、本譲受人に譲渡され、参照してここに明示的に組み込まれる、２００４年６月４日に出願された「ＦＬＯ−ＴＤＤ物理層(FLO-TDD physical layer)」と題される米国特許仮出願第６０／５７７，０８３号の優先権を主張する。
【０００２】
（分野）
本発明は、概して、通信に関し、より具体的には、無線通信システムにおけるオーバヘッド情報を伝送するための技術に関係する。
【背景技術】
【０００３】
（背景）
無線通信システムは、様々な通信サービス、例えば、音声、パケットデータ、マルチメディアブロードキャスト、テキストメッセージなど、を提供するために広く有効的に使用されている。これらのシステムは、利用可能なシステムリソースを共有することにより複数のユーザに対し通信をサポートすることができる多元接続性システム(multiple-access system)かもしれない。そのような多元接続性システムの例は、符号分割多元接続（ＣＤＭＡ）システム、時分割多元接続（ＴＤＭＡ）システム、周波数分割多元接続（ＦＤＭＡ）システム、そして直交周波数分割多元接続（ＯＦＤＭＡ）システムを含む。ＣＤＭＡシステムは、広帯域ＣＤＭＡ（Ｗ−ＣＤＭＡ）、ｃｄｍａ２０００などをインプリメントできる。Ｗ−ＣＤＭＡは、「第三世代協力プロジェクト」（３ＧＰＰ）という名のコンソーシアムからのドキュメントの中で説明されている。ｃｄｍａ２０００は、「第三世代協力プロジェクト２」（３ＧＰＰ２）という名のコンソーシアムからのドキュメントの中で説明されている。３ＧＰＰと３ＧＰＰ２のドキュメントは公に利用可能である。
【０００４】
Ｗ−ＣＤＭＡおよびｃｄｍａ２０００は、狭帯域信号を拡散符号でシステム帯域幅全体にわたってスペクトル的に広げる、直接シーケンスＣＤＭＡ（ＤＳ−ＣＤＭＡ）無線技術を使用する。ＤＳ−ＣＤＭＡは、ある長所、例えば、多元接続性、狭帯域拒否、等をサポートする容易さ、などを有する。然しながら、ＤＳ−ＣＤＭＡは、周波数選択性フェージングの影響を受けやすく、それは符号間干渉（ＩＳＩ）を引き起こす。イコライザを持った複雑なレシーバは、符号間干渉を抑制するように努めることが必要とされるかもしれない。
【０００５】
無線通信システムは、特定ユーザのためのユーザ特定あるいはユニキャスト伝送、一群のユーザのためのマルチキャスト伝送、そして、ブロードキャストサービスエリア内のすべてのユーザのためのブロードキャスト伝送、のような様々なタイプの伝送を送ることができる。マルチキャストとブロードキャストの伝送は、本質的に可変であり得、例えば、時間の経過と共に変化する変動データレートで送られるかもしれない。この場合、マルチキャストとブロードキャストの伝送用のオーバヘッド／制御情報が、何時そしてどのように各伝送が送られるのかを示すために、コントロールチャネル上で送られることができる。コントロールチャネルがどのように伝送されるか次第で、端末は、関心のある各伝送に対する制御情報を得るためにコントロールチャネルを連続して復号する(decode)ことを必要とするかもしれない。コントロールチャネルのこの連続的な複合化(decoding)は、バッテリパワーを使い尽くしえるものであり、望ましくない。
【０００６】
それ故に、軽減されたパワー消費で関心のある伝送を端末が効率的に受け取ることができるような、オーバヘッド情報を送るための技術に対し技術的な必要性がある。
【発明の開示】
【０００７】
［要約］
複数の無線技術、例えば、Ｗ−ＣＤＭＡおよび直交周波数分割多重（ＯＦＤＭ）など、を利用する無線通信システムにおいて、オーバヘッド情報を伝送するための技術が、ここに説明される。これらの技術は、様々なタイプの伝送（例、特定ユーザ向け伝送、マルチキャス伝送、そしてブロードキャスト伝送）に対し、そして様々なサービス（例、拡張マルチメディアブロードキャスト／マルチキャストサービス（Ｅ−ＭＢＭＳ））に対して使用されることができる。
【０００８】
本発明の一実施形態によれば、コントローラとプロセッサを含んでいる装置が説明される。コントローラは、システムによって利用される少なくとも２つの無線技術（例、Ｗ−ＣＤＭＡおよびＯＦＤＭ）の中の第1無線技術（例、ＯＦＤＭ）に対し使用されるタイムスロットを確認し(ascertain)、第１無線技術に対し使用されるタイムスロットの中で送られるべき複数のストリームのためのオーバヘッド情報を生成する。各ストリームのためのオーバヘッド情報は、ストリームに割り当てられるタイムスロットを示し、そして、典型的に、更に、ストリームのために使用される符号化と変調のパラメータを伝達する。プロセッサは、無線チャネル経由で伝送のための複数のストリーム用のためのオーバヘッド情報を処理する。
【０００９】
別の実施形態によれば、少なくとも２つの無線技術の中の第１無線技術に対し使用されるタイムスロットが確認される方法が、提供される。第１無線技術に対し使用されるタイムスロットの中で送られるべき複数のストリームのためのオーバヘッド情報が、伝送のために決定され、そして処理される。
【００１０】
更に別の実施形態によれば、無線通信システムによって利用される少なくとも２つの無線技術の中の第1無線技術のために使用されるタイムスロットを確認するための手段と、第１無線技術のために使用されるタイムスロット中で送られる複数のストリームのためのオーバヘッド情報を決定するための手段と、そして、伝送のための複数のストリームのためのオーバヘッド情報を処理するための手段とを含む装置、が説明される。
【００１１】
更に別の実施形態によれば、コントローラとプロセッサを含む装置が説明される。コントローラは、複数のタイムスロットで構成されたスーパーフレームの中でＯＦＤＭのために使用されるタイムスロットを確認する。コントローラは更に、ＯＦＤＭのために使用されるタイムスロットの中で送られるべき複数のストリームのためのオーバヘッド情報を、決定する。各ストリームのためのオーバヘッド情報は、スーパーフレーム中のストリームに割り当てられる少なくとも１つのタイムスロットを示す。プロセッサは、複数のストリームのためのオーバヘッド情報を処理し、そして、処理されたオーバヘッド情報を、スーパーフレーム中の複数のストリーム用のデータで時分割多重化する。
【００１２】
更に別の実施形態によれば、スーパーフレームの中でＯＦＤＭのために使用されるタイムスロットが確認される方法、が提供される。ＯＦＤＭのために使用されるタイムスロットの中で送られるべき複数のストリームのためのオーバヘッド情報が決定され、処理され、そして、スーパーフレーム中の複数のストリーム用のデータで時分割多重化される。
【００１３】
更に別の実施形態によれば、スーパーフレームの中で直交周波数分割多重（ＯＦＤＭ）のために使用されるタイムスロットを確認するための手段と、ＯＦＤＭのために使用されるタイムスロット中で送られるべき複数のストリームのためのオーバヘッド情報を決定するための手段と、そして、スーパーフレーム中の複数のストリーム用のデータで複数のストリームのためのオーバヘッド情報を時分割多重化するための手段とを含む装置、が説明される。
【００１４】
更に別の実施形態によれば、コントローラとプロセッサを含む装置が説明される。コントローラは、少なくとも２つの無線技術中の第１無線技術のために使用されるタイムスロットの中で伝送される複数のストリームのためのオーバヘッド情報を得る。プロセッサは、ストリーム用のデータを得るために選択されたストリームのための少なくとも１つのタイムスロットを処理する。
【００１５】
更に別の実施形態によれば、少なくとも２つの無線技術の中の第１無線技術のために使用されるタイムスロットの中で伝送される複数のストリームのためのオーバヘッド情報が得られる方法、が提供される。
【００１６】
更に別の実施形態によれば、少なくとも２つの無線技術の中の第１無線技術のために使用されるタイムスロットの中で伝送される複数のストリームのためのオーバヘッド情報を得るための手段と、そして、ストリーム用のデータを得るために選択されたストリームのための少なくとも１つのタイムスロットを処理するための手段とを含む装置、が説明される。
【００１７】
本発明の様々な面(aspects)および実施形態が、以下に、更に詳細に説明される。
【００１８】
［詳細な説明］
ここで使用される用語「例示的な(exemplary)」は、「例(example)、実例(instance)、または例証(illustration)である」を意味している。「例示的な」としてここで説明されるどの実施形態も、他の実施形態より好ましいまたは有利であるとして必ずしも解釈されるべきではない。
【００１９】
図１は、複数の基地局１１０および複数の端末１２０を備える無線通信システム１００を示す。基地局は一般に、端末と通信する固定局であり、そしてまた、ノードＢ、アクセスポイント、ベーストランシーバサブシステム（ＢＴＳ）、あるいは他の何らかの用語で、呼ばれるかもしれない。各基地局１１０は、特定の地理的エリア(a particular geographic area)に通信エリア(communication coverage)を提供する。用語「セル(cell)」は、その用語が使用されているコンテキストに応じて、基地局、及び／又は、そのサービスエリア(its coverage area)を指すことがありうる。
【００２０】
端末１２０は、システム全体にわたって分散配置されることができる。端末は、固定されている又はモバイルであって、移動局、無線デバイス、ユーザ機器、ユーザ端末、加入者ユニット、あるいは他の何らかの用語で呼ばれるかもしれない。「端末」と「ユーザ」という用語は、ここでは同じように使用される。端末は、いつなんどきでも、０の、１つの、あるいは複数の基地局と通信できる。端末はまた、基地局と、ダウンリンク上で、及び／又は、アップリンク上で、通信できる。ダウンリンク（あるいは順方向リンク）は基地局から端末への通信リンクを指し、そして、アップリンク（あるいは逆方向リンク）は端末から基地局への通信リンクを指す。
【００２１】
基地局は異なるタイプの伝送で様々なコンテンツ（例、オーディオ、ビデオ、テレテキスト、データ、ビデオ／オーディオ クリップなど）をブロードキャスト(broadcast)することができる。広域伝送(a wide-area transmission)は、システムにおいて全てのあるいは多くの基地局によってブロードキャストされる伝送である。異なる広域伝送は、システムにおいて異なるグループの基地局によってブロードキャストされることができる。ローカル伝送(a local transmission)は、特定の広域伝送(a given wide-area transmission)用基地局のサブセット(subset)によってブロードキャストされる伝送である。異なるローカル伝送は、特定の広域伝送用基地局の異なるサブセットによってブロードキャストされることができる。ローカルと広域の伝送は、異なる層の受信可能範囲(coverage)を有する伝送と見なされることができる。各伝送のサービスエリア(coverage area)は、その伝送をブロードキャストするすべての基地局のサービスエリアによって決定される。
【００２２】
図２は、システム１００のための異なるサービスエリアを示す。この例においては、システムは、広域２１０ａおよび２１０ｂを含み、広域２１０ａは３つのローカルエリア２２０ａ、２２０ｂおよび２２０ｃを包含する。一般に、システムは、任意の数の広域と任意の数のローカルエリアを含むことができる。各ローカルエリアは、別のローカルエリアに隣接してもよいし、あるいは分離されてもよい。特定の広域のための広域伝送は、その広域のすべての基地局によってブロードキャストされる。特定のローカルエリアのためのローカル伝送は、そのローカルエリア内のすべての基地局によってブロードキャストされる。
【００２３】
ここで説明されるオーバヘッド伝送技術は、様々な無線技術、例えば、Ｗ−ＣＤＭＡ、ｃｄｍａ２０００、ＩＳ−８５６、ＣＤＭＡの他のバージョン、ＯＦＤＭ、インタリーブＦＤＭＡ(Interleaved FDMA)（ＩＦＤＭＡ）（これはまた、分散型ＦＤＭＡ(Distributed FDMA)と呼ばれる）、局地的ＦＤＭＡ(Localized FDMA)（ＬＦＤＭＡ）（これはまた、狭帯域ＦＤＭＡあるいは古典的ＦＤＭＡと呼ばれる）、汎欧州デジタル移動電話方式（ＧＳＭ）、直接シーケンススペクトラム拡散(direct sequence spread spectrum)（ＤＳＳＳ）、周波数ホッピングスペクトラム拡散(frequency hopping spread spectrum)（ＦＨＳＳ）など、と共に使用されることができる。ＯＦＤＭ、ＩＦＤＭＡ、そしてＬＦＤＭＡは、マルチキャリア無線技術であり、全体のシステム帯域幅を多重（Ｓ）直交周波数サブバンド(multiple (S) orthogonal frequency subbands)に区分する。これらのサブバンドはまた、トーン(tones)、サブキャリア(subcarriers)、ビン(bins)、そして周波数チャネル(frequency channels)と呼ばれる。各サブバンドは、データで変調され得るそれぞれのサブキャリアに関連付けられている。ＯＦＤＭは、周波数領域(frequency domain)の変調シンボル(modulation symbols)を、全てのあるいはサブセットのＳサブバンド上で伝送するする。ＩＦＤＭＡは、時間領域(time domain)の変調シンボル(modulation symbols)を、Ｓサブバンドを横切って一様に間隔をあけられたサブバンド上で伝送する。ＬＦＤＭＡは、時間領域中で、且つ典型的に隣接したサブバンド上で変調シンボルを伝送する。ユニキャスト伝送、マルチキャスト伝送そしてブロードキャスト伝送のためのＯＦＤＭの使用はまた、異なる無線技術と見なされるかもしれない。上記で与えられた無線技術のリストは網羅的ではなく、フレーム構造と伝送技術は、上記で言及されない他の無線技術にもまた使用されてよい。理解しやすいように、Ｗ−ＣＤＭＡ及びＯＦＤＭに対してのオーバヘッド伝送技術が、以下に特に詳細に説明される。
【００２４】
図３は、Ｗ−ＣＤＭＡとＯＦＤＭのような多重無線技術(multiple radio technologies)をサポートする、例示的な４層フレーム構造３００を示す。伝送タイムライン(transmission time line)はスーパーフレーム(super-frames)に区分され、各スーパーフレームは、所定の持続時間、例えば、およそ１秒、を有する。図３の中で示される実施形態の場合、各スーパーフレームは、（１）時分割多重（ＴＤＭ）パイロットおよびオーバヘッド情報のためのヘッダフィールドと、（２）トラフィックデータおよび周波数分割多重（ＦＤＭ）パイロットのためのデータフィールドと、を含む。ＴＤＭパイロットは、同期、例えば、スーパーフレーム検知、周波数エラー推定、およびタイミング獲得、のために使用されることができる。ＴＤＭとＦＤＭのパイロットは、チャネル推定のために使用されることができる。各スーパーフレーム用のオーバヘッド情報は、そのスーパーフレーム中で送られる物理的チャネル用の様々なパラメータを伝える。
【００２５】
各スーパーフレームのデータフィールドは、データ伝送を容易にするためにＫの同じサイズのアウターフレーム(outer-frames)に区分される、但し、Ｋ＞１である。各アウターフレームは、Ｎフレーム(frames)に区分され、そして、各フレームは更にＴタイムスロット(time slots)に区分される、但し、Ｎ＞１、Ｔ＞１である。各アウターフレームは、このように、１からＭまでのインデックスを割り当てられたＭ＝Ｎ・Ｔのタイムスロットを含む。一般に、スーパーフレームは、任意の数のアウターフレーム、フレーム、およびタイムスロットを含むことができる。スーパーフレーム、アウターフレーム、フレーム、およびタイムスロットもまた、他の何らかの用語によって呼ばれるかもしれない。
【００２６】
一般に、任意の数の層を有するフレーム構造は、複数の無線技術をサポートするために使用されることができる。理解しやすいように、次の説明の多くは、図３の中で示される４層フレーム構造に対するものである。フレーム構造は、時分割ヂュプレックス(time division duplex)（ＴＤＤ）と周波数分割ヂュプレックス(frequency division duplex)（ＦＤＤ）のシステムの両方に使用されることができる。ＴＤＤシステムにおいては、ダウンリンクとアップリンクは同じ周波数帯域を共有し、そして、ダウンリンクとアップリンクの伝送は異なるタイムスロット中で送られる。ＦＤＤシステムにおいては、ダウンリンクとアップリンクは別々の周波数帯域に割り当てられ、そして、ダウンリンクとアップリンクの伝送は２つの周波数帯域上で同時に送られることができる。
【００２７】
図４は、ＴＤＤシステムのためのフレーム中のＷ−ＣＤＭＡおよびＯＦＤＭの例示的な多重化を示す。一般に、フレーム中の各タイムスロットは、ダウンリンク（ＤＬ）かアップリンク（ＵＬ）かのいずれかに使用されることができる。ダウンリンクに使用されるタイムスロットは、ダウンリンクスロットと呼ばれ、そして、アップリンクに使用されたタイムスロットはアップリンクスロットと呼ばれる。各タイムスロットに対し、任意の無線技術（例、Ｗ−ＣＤＭＡまたはＯＦＤＭ）が使用されることができる。Ｗ−ＣＤＭＡに対し使用されるタイムスロットは、Ｗ−ＣＤＭＡスロットと呼ばれ、そして、ＯＦＤＭに対し使用されるタイムスロットは、ＯＦＤＭスロットと呼ばれる。ＯＦＤＭを使用するダウンリンクスロット用に使用されるタイムスロットは、Ｅ−ＭＢＭＳスロット、あるいは順方向リンク専用（ＦＬＯ）スロットと、あるいは他の何らかの用語で、呼ばれる。
【００２８】
図４の中で示される例の場合、タイムスロット１はダウンリンクＷ−ＣＤＭＡスロットであり、タイムスロット２から６まではＥ−ＭＢＭＳスロットであり、タイムスロット７はアップリンクＷ−ＣＤＭＡスロットであり、そして、タイムスロット８から１５まではＥ−ＭＢＭＳスロットである。Ｅ−ＭＢＭＳスロットは、マルチキャスト伝送、ブロードキャスト伝送、あるいはユニキャスト伝送を送るために使用されることができる。
【００２９】
各Ｗ−ＣＤＭＡスロットに対し、1以上の物理的チャネル用のデータが、異なる直交（例、ＯＶＳＦ）符号でチャネル接続され(channelized)、スクランブル用符号でスペクトル的に拡散され、時間領域の中で組み合わされ、そして、Ｗ−ＣＤＭＡスロット全体にわたって伝送される。各ＯＦＤＭスロットに対し、１以上の物理的チャネル用のデータが処理され、そして、そのＯＦＤＭスロットの中で伝送されるＬ  ＯＦＤＭシンボルに変換されることができる、なおＬ≧１である。
【００３０】
表１は、図３の中で示されるフレーム構造の３例示設計を示す。これらのフレーム設計の場合、ＴＤＭパイロットおよびオーバヘッド情報のためのヘッダフィールドは４０ミリ秒（ｍｓ）であり、各スーパーフレームは４アウターフレーム（Ｋ＝４）を含み、フレームとタイムスロットはＷ−ＣＤＭＡに準拠し、そして、各フレーム中の２タイムスロットはＷ−ＣＤＭＡのために確保される。Ｗ−ＣＤＭＡの場合、各フレームは、１０ｍｓの持続時間を有し、１５タイムスロット（Ｔ＝１５）を含み、各タイムスロットは、０．６６７ｍｓの持続時間を有し、２５６０チップを含み、そして各チップは、３．８４ＭＨｚのシステム帯域幅に対し０．２６ミリ秒（μｓ）の持続時間を有する。アウターフレーム当りのタイムスロットの数（Ｍ）は、フレーム当りのタイムスロットの数（Ｔ）とアウターフレーム当りのフレームの数（Ｎ）との積、すなわちＭ＝Ｔ×Ｎ、に等しい。アウターフレーム当りのＥ−ＭＢＭＳスロットの最大数（Ｖ）は、フレーム当りのＥ−ＭＢＭＳスロットの最大数（１３）とアウターフレーム当りのフレームの数（Ｎ）との積、すなわちＶ＝１３×Ｎ、に等しい。Ｋ、Ｎ、Ｔ、Ｍ、およびＶに対し他の値を有する他のフレーム設計もまた使用されてよく、本発明の範囲内である。
【表１】
2008502222.tif 000003
【００３１】
システムは、データの伝送を容易にするために物理的チャネルを定義できる。物理的チャネルは、物理層でデータを送るための手段であり、物理層チャネル、トラフィックチャネル、等、ともまた呼ばれるかもしれない。ＯＦＤＭを使用してダウンリンク上で伝送される物理的チャネルは、Ｅ−ＭＢＭＳ物理的チャネルと呼ばれる。Ｅ−ＭＢＭＳ物理的チャネルは、様々なタイプのデータ（例、マルチキャストデータ、ブロードキャストデータ、制御データなど）を送るために使用されることができ、そして、様々なサービス（例、Ｅ−ＭＢＭＳ）に対し使用されることができる。
【００３２】
図５は、Ｅ−ＭＢＭＳおよびＷ−ＣＤＭＡの処理の一実施形態を示す。Ｅ−ＭＢＭＳの場合、ストリーム層５１０は、上層からのデータおよび信号(signaling)を受け取り処理し、そして、データの複数のストリームを提供する。各ストリームは、１以上のタイプのメディア（例、ビデオ、オーディオ、データキャスト、マルチキャストなど）を搬送できる。一実施形態においては、各スーパーフレームに対し、ストリーム層は、各ストリームがそのスーパーフレーム中で送られるように、１つのトランスポートブロックを提供する。メディアアクセス制御（ＭＡＣ）層５２０は、Ｅ−ＭＢＭＳ物理的チャネル上での伝送のためのストリーム用のトランスポートブロックを処理する。ＭＡＣ層は、各トランスポートブロックに対しＭＡＣカプセル(MAC capsule)を形成できる。物理層５３０は、Ｅ−ＭＢＭＳ物理的チャネル用のＭＡＣカプセルを処理し、そして、ＯＦＤＭ波形を生成する。
【００３３】
Ｗ−ＣＤＭＡの場合、無線リンク制御（ＲＬＣ）層５１２が、上層からのデータおよび信号を処理し、そして、ＲＬＣ層データを論理チャネルにマッピングする(map)。ＭＡＣ層５２２は、論理チャネルデータを処理し、そして、ＭＡＣ層データをトランスポートチャネルにマッピングする。物理層５３２は、トランスポートチャネルデータを処理し、処理されたデータを物理的チャネルにマッピングし、そして更に、Ｗ−ＣＤＭＡ波形を生成する。マルチプレクサ５４０は、Ｗ−ＣＤＭＡ波形をダウンリンクＷ−ＣＤＭＡスロット上に多重化し、そして、ＯＦＤＭ波形をＥ−ＭＢＭＳスロット上に多重化する。
【００３４】
各アウターフレームは、図３の中で示されるように、Ｗ−ＣＤＭＡおよびＯＦＤＭのために使用されることができるＭタイムスロットを含んでいる。ゼロ、１、あるいは複数のタイムスロット（例、各フレームにおける最初のタイムスロット）は、Ｗ−ＣＤＭＡ用に確保される。確保されないタイムスロットは、様々な方法で、そして、様々な要因、例えばシステムローディング、使用条件などに基づき、Ｗ−ＣＤＭＡおよびＯＦＤＭに割り当てられることができる。
【００３５】
図６Ａは、Ｅ−ＭＢＭＳにスーパーフレーム中のタイムスロットを割り当てる第一実施形態を示す。この実施形態の場合、スーパーフレームの各アウターフレーム中のＮフレームは、同じセットのＥ−ＭＢＭＳスロット、すなわち、各フレーム内で同じスロットインデックスに位置している同じ数のＥ−ＭＢＭＳスロット、を含んでいる。図６Ａの中で示される例については、各フレーム中のタイムスロットｔａおよびｔｂは、Ｅ−ＭＢＭＳスロットである。各アウターフレームにおけるＥ−ＭＢＭＳスロットの数（Ｑ）は、フレーム当りのＥ−ＭＢＭＳスロットの数（Ｇ）とアウターフレーム当りのフレームの数（Ｎ）の積と等しい、すなわち、Ｑ＝Ｇ×Ｎである。
【００３６】
図６Ｂは、Ｅ−ＭＢＭＳにスーパーフレーム中のタイムスロットを割り当てる第二実施形態を示す。この実施形態の場合、Ｗ−ＣＤＭＡのために確保されない各タイムスロットは、Ｅ−ＭＢＭＳスロットとして使用されることができる。この実施形態は、Ｅ−ＭＢＭＳにタイムスロットを割り当てる際に完全な柔軟性を提供する。図６Ｂにおいて示される例については、アウターフレーム１のフレーム１中の２つのタイムスロットがＥ−ＭＢＭＳに割り当てられ、フレーム２中の１つのタイムスロットがＥ−ＭＢＭＳに割り当てられ、等、そして、フレームＮ中の３つのタイムスロットがＥ−ＭＢＭＳに割り当てられる。
【００３７】
図６Ａおよび６Ｂにおいて示される実施形態の場合、Ｅ−ＭＢＭＳに割り当てられたタイムスロットは、シーケンシャルなインデックス１からＱまでが割り当てられる、なおＱは、１つのアウターフレーム中のＥ−ＭＢＭＳスロットの数であり、Ｑ≦Ｖである。Ｅ−ＭＢＭＳ物理的チャネルは、Ｑ  Ｅ−ＭＢＭＳスロット上で送られることができる。
【００３８】
所定の(given)Ｅ−ＭＢＭＳ物理的チャネルは、所定のスーパーフレーム中で伝送されるかもしれないし、伝送されないかもしれない。一実施形態では、所定のスーパーフレーム中で伝送されるＥ−ＭＢＭＳ物理的チャネルは、スーパーフレーム中の各アウターフレームの１以上のフレーム中の１以上のタイムスロットが割り当てられている。更に、Ｅ−ＭＢＭＳ物理的チャネルは、スーパーフレームのすべてのＫアウターフレームに対し、同じスロットおよびフレームの割り当てを持っている。例えば、Ｅ−ＭＢＭＳ物理的チャネルは、スーパーフレーム中の各アウターフレームのフレームｎの中のタイムスロッｔを割り当てられることができる。この例においては、Ｅ−ＭＢＭＳ物理的チャネルは、Ｍタイムスロットによって均一に間隔を空けて置かれる総数Ｋのタイムスロットを割り当てられる。Ｅ−ＭＢＭＳ物理的チャネルはまた、各アウターフレーム中の複数のタイムスロットを割り当てられることもでき、また、これらのタイムスロットは、互いに隣接していてもよいし、あるいは、アウターフレーム全体にわたって分布してもよい。
【００３９】
Ｅ−ＭＢＭＳ物理的チャネルは、システムによってサポートされる１セットのＴＢフォーマットの中から選択されたトランスポートブロック（ＴＢ）フォーマットを使用して伝送されることができる。ＴＢフォーマットはまた、モード、レート、トランスポートブロックサイズなどと呼ばれるかもしれない。ＴＢフォーマットは、スーパーフレーム中のＥ−ＭＢＭＳ物理的チャネルを伝送するための様々なパラメータを示してもよい。例えば、各ＴＢフォーマットは、特定のデータレート、特定のインナー符号レート(inner code rate)、特定の変調方式、特定のトランスポートブロックサイズ、コードブロックの特定の数などを示すことができる。インナー符号は、ターボ符号(Turbo code)、畳み込み符号(convolutional code)、あるいは他のあるコードであり得る。Ｅ−ＭＢＭＳ物理的チャネルは更に、リードソロモン符号(Reed-Solomon)のようなブロック符号であり得るアウター符号(outer code)で、符号化されることができる。
【００４０】
表２は、表１におけるフレーム設計３の場合の１例示的なセットのＴＢフォーマットを示す。表２は、Ｅ−ＭＢＭＳ物理的チャネルが、スーパーフレーム中の４つのアウターフレーム（あるいは総計４つのタイムスロット）の各々において１つのタイムスロットを割り当てられると仮定している。１つのトランスポートブロックが、スーパーフレーム中のＥ−ＭＢＭＳ物理的チャネル上で送られる。トランスポートブロックは、（ｎ、ｋ）リードソロモン符号でオプションとして符号化され、そのあと、１６ビットのＣＲＣ値で付けられ(appended)、そしてそれから、１つあるいは２つのコードブロックに区分される(partitioned)。各コードブロックは、インナー符号で符号化され、インタリーブされ(interleaved)、そして変調シンボルにマッピングされる。表２中のインナー符号レートは、２３３１の変調シンボルが各Ｅ−ＭＢＭＳスロットの中で送られることができること、例えば、７７７の変調シンボル／ＯＦＤＭシンボル×３のＯＦＤＭシンボル／Ｅ−ＭＢＭＳスロット、を前提としている。
【表２】
2008502222.tif 000004
【００４１】
表２はいくつかの例示的なＴＢフォーマットを示す。一般に、任意の数のＴＢフォーマットが定義されることができ、そして、ＴＢフォーマットは、任意のセットのパラメータに関連付けられることができる。
【００４２】
Ｅ−ＭＢＭＳ物理的チャネルのために使用されるＴＢフォーマットは、様々な方法で送られことができる。一実施形態では、ＴＢフォーマットは別のコントロールチャネル上で送られる。―例は、Ｗ−ＣＤＭＡにおいて高速ダウンリンクパケットアクセス（ＨＳＤＰＡ）チャネル用にトランスポートブロックフォーマットを搬送する高速共用制御チャンネル（ＨＳ−ＳＣＣＨ）である。もしＴＢフォーマットが固定されているかあるいは遅いレートで変更されるのであれば、この実施形態は使用されてよい。別の実施形態では、ＴＢフォーマットは、バンド内でトラフィックデータと共にＥ−ＭＢＭＳ物理的チャネル上で送られる。一例として、トランスポートフォーマット（ＴＦ）は、Ｗ−ＣＤＭＡにおいてＭＢＭＳ用にＭＢＭＳ１対多方向トラフィックチャネル(MBMS point-to-multipoint Traffic Channel)（ＭＴＣＨ）を搬送する二次的共通制御物理的チャンネル（Ｓ−ＣＣＰＣＨ）のトランスポート フォーマット コンビネーション インジケータ(transport format combination indicator)（ＴＦＣＩ）フィールドにおいて、明示的に信号で示される。以下に詳細に説明される、更に別の実施形態においては、ＴＢフォーマットは、各スーパーフレームのヘッダフィールドで送られるＭＢＭＳ１対多方向制御チャネル(MBMS point-to-multipoint Control Channel)（ＭＣＣＨ）において、送られる。ＭＣＣＨはまた、オーバヘッド情報シンボル（ＯＩＳ）とも、あるいは、他の何らかの専門用語で呼ばれるかもしれない。
【００４３】
ＭＣＣＨは、各スーパーフレームの最初に送られることができ、そして、そのスーパーフレーム中で送られる全てのＥ−ＭＢＭＳ物理的チャネルを受け取るために使用される関連情報を伝達できる。ＭＣＣＨは、ストリームおよびＥ−ＭＢＭＳ物理的チャネルが伝送される方法に応じて様々なタイプの情報を搬送できる。一実施形態においては、ＭＣＣＨは、スーパーフレームの中で送られている各Ｅ−ＭＢＭＳ物理的チャネルに対し、次のオーバヘッド情報を搬送する：  
１．  Ｅ−ＭＢＭＳ物理的チャネルによって運ばれているストリーム；  
２．  Ｅ−ＭＢＭＳ物理的チャネルに割り当てられたタイムスロット；そして  
３．  Ｅ−ＭＢＭＳ物理的チャネルのために使用されたＴＢフォーマット；  
４．  Ｅ−ＭＢＭＳ物理的チャネルのために使用されたアウター符号レート。  
一実施形態においては、各ストリームは、１つのＥ−ＭＢＭＳ物理的チャネルにマッピングされ、該チャネル上で送られる。従って、ストリームとＥ−ＭＢＭＳ物理的チャネルとの間には１対１マッピングがあるので、ストリームｘはＥ−ＭＢＭＳ物理的チャネルｘ上で送られる。この実施形態の場合、同じ識別子が、ストリームとそのストリームを運ぶＥ−ＭＢＭＳ物理的チャネルの両方のために使用されるので、オーバヘッド情報は、上記の項目１を伝達する必要がない。このとき、「ストリーム」と「Ｅ−ＭＢＭＳ物理的チャネル」の用語は、区別なく同様に使用されることができる。各ストリームは、各アウターフレームの１以上のフレーム中の１以上のタイムスロットを割り当てられることができる。項目２、３および４は、様々な方法で伝達されることができる。
【００４４】
図７Ａは、スーパーフレームの中で送られたストリーム用オーバヘッド情報を搬送するために使用される、Ｅ−ＭＢＭＳパラメータメッセージ７１０の一実施形態を示す。メッセージ７１０は、Ｑ  Ｅ−ＭＢＭＳスロットレコードを、スーパーフレーム中の各Ｅ−ＭＢＭＳスロットに対し１レコードで、含んでおり、ＣＲＣフィールドがこれに続いている。各Ｅ−ＭＢＭＳスロットレコードは、ストリーム識別子（ＩＤ）フィールド、ＴＢフォーマットフィールド、およびアウター符号レートフィールドを含んでいる。各レコードのために、ストリームＩＤフィールドは、そのレコードに関連したＥ−ＭＢＭＳスロットの中で送られているストリームの識別子を伝え、ＴＢフォーマットフィールドは、ストリームのために使用されたＴＢフォーマットを伝え、そして、アウター符号レートフィールドは、ストリームのために使用されたリードソロモン符号レートを伝える。ＣＲＣフィールドは、メッセージ中のＱ  Ｅ−ＭＢＭＳスロットレコードに基づいて生成されるＣＲＣ値を搬送する。端末は、メッセージが正確に復号されるかどうか判断するためにＣＲＣ値を使用できる。
【００４５】
もし各ストリームが、各アウターフレーム中の少なくとも１つのＥ−ＭＢＭＳスロット上で送られる場合、そのとき、ストリームの最大数が、１つのアウターフレーム中のＥ−ＭＢＭＳスロットの最大数によって決定される。所定のＥ−ＭＢＭＳスロット上で送られているストリームを伝達するために必要とされるビットの数（Ｂ）は、Ｂ＝［ｌｏｇ２Ｖ］である、なお、［ｙ］は、ｙ以上の整数値を提供するシーリングオペレータ(ceiling operator)を示す。１例として、表１の中で示されるフレーム設計２の場合、各アウターフレームは、４０３までのＥ−ＭＢＭＳスロットを含むことができ、それは４０３までのストリームを送るために使用されることができる。各ストリームは、９ビットの値によって識別されることができる。
【００４６】
ＴＢフォーマットは、アウター符号レートを除いて、表２の中で示される全てのパラメータを示す。ＴＢフォーマットを伝達するために使用されるビットの数は、システムによってサポートされたＴＢフォーマットの数に依存している。アウター符号レートを伝達するために使用されるビットの数は、システムによってサポートされたアウター符号レートの数に依存している。
【００４７】
表３は、Ｅ−ＭＢＭＳスロットレコードの２つの例示的な設計を示す。９ビットのストリームＩＤフィールドは５１２までのストリームをサポートし、そして、表１の中で示される３つのフレーム設計すべてに使用されることができる。８ビットのＴＢフォーマットフィールドは２５６までのＴＢフォーマットをサポートする。レコード設計１の場合、４ビットアウター符号レートフィールドは、１６までのアウター符号レートをサポートする。例えば、システムは、（１６、k）のリードソロモン符号レートをサポートすることができる、なお、ｋは１６以下で、４ビットで送られることができる。レコード設計２の場合、リードソロモン符号レートは、（１）固定されることができ（例えば、符号レート（１６、１２に）、また送られる必要がない、あるいは、（２）他のあるチャネル経由で送られることができ、あるいは、（３）ＴＢフォーマット内に埋め込まれる(embedded)ことができる。
【表３】
2008502222.tif 000005
【００４８】
表３は、特定のフィールドを備えたＥ−ＭＢＭＳスロットレコードの特定の実施形態を示す。Ｅ−ＭＢＭＳスロットレコードは、より少ない、異なる、あるいは追加のフィールドを、含むことができる、そして、これは本発明の範囲内である。
【００４９】
表４は、異なる数のＥ−ＭＢＭＳスロットレコードについての、処理および伝送のパラメータを示す。表１中のフレーム設計２の場合、もし１つのタイムスロットがアウターフレームの各フレームの中でＥ−ＭＢＭＳに対して使用されるのであれば、３１のＥ−ＭＢＭＳスロットが各アウターフレームにおいて利用可能であり、もし２つのタイムスロットが各フレーム中のＥ−ＭＢＭＳに対して使用されるのであれば、６２のＥ−ＭＢＭＳスロットが利用可能である、等、そして、１３のタイムスロットが各フレームの中でＥ−ＭＢＭＳに対して使用されるのであれば、４０３のＥ−ＭＢＭＳスロットが利用可能である。Ｅ−ＭＢＭＳスロットレコードの数は、Ｅ−ＭＢＭＳスロットの数に等しい。Ｅ−ＭＢＭＳパラメータメッセージ７１０のためのビットの数は、レコードの数（Ｑ）とレコード当りのビットの数（１７から２１）の積に、ＣＲＣのための１６ビットをプラスしたものに等しい。
【００５０】
実施形態では、Ｅ−ＭＢＭＳパラメータメッセージ７１０は、表４の中で与えられる符号レートでターボ符号化され(Turbo encoded)、そのあと、ＱＰＳＫ変調シンボルにマッピングされる。一般に、メッセージのための符号レートおよび変調方式は、サービスエリアの端で信頼できる受信を達成するために選択されている。メッセージは、ＭＣＣＨのために使用された１つ以上のタイムスロットの中で送られことができ、それはＭＣＣＨスロットと呼ばれる。ＭＣＣＨスロットの数は、メッセージサイズによって決定される。表４の中で示されるレコード設計の場合、ＭＣＣＨスロットの数は、各フレームにおけるＥ−ＭＢＭＳスロットの数に等しい。
【表４】
2008502222.tif 000006
【００５１】
Ｅ−ＭＢＭＳパラメータメッセージ７１０は、スーパーフレームの各アウターフレーム中のＱ  Ｅ−ＭＢＭＳスロットのためのＱ  Ｅ−ＭＢＭＳスロットレコードを搬送する。メッセージ中のレコードは、最初のアウターフレーム中のＥ−ＭＢＭＳスロットに、シーケンシャルの順序でマッピングされるので、ｑ番目のレコードはｑ番目のＥ−ＭＢＭＳスロットのためのものである。
【００５２】
Ｅ−ＭＢＭＳスロットとして使用する特定のタイムスロットは、様々な方法で、例えば、図６Ａあるいは６Ｂの中で示されるように、選択されることができる。どのタイムスロットがＥ−ＭＢＭＳスロットであるのかを示す情報は、それは割り当て情報と呼ばれるが、様々なフォーマットで与えられることができる。図６Ａの中で示される第１の実施形態の場合、スーパーフレーム中の各フレームは、同じセットのＥ−ＭＢＭＳスロットを含んでいる。従って、スーパーフレーム中の全てのＥ−ＭＢＭＳスロットは、１つのフレーム用のＥ−ＭＢＭＳスロットを識別する情報を送ることによって伝達されることができる。例えば、１３ビットのフィールドは、各フレームの中でＥ−ＭＢＭＳのために使用されることができる１３タイムスロットに対し、各タイムスロットに対し１つのビットで、定義されることができる。この１３ビットのフィールドにおける各ビットは、もし対応するタイムスロットがＥ−ＭＢＭＳスロットであれば「１」に、あるいはそうでなければ「０」に、設定されることができる。図６Ｂにおいて示される第２の実施形態の場合、アウターフレーム中の各タイムスロットは、Ｗ−ＣＤＭＡあるいはＯＦＤＭに対し使用されることができる。スーパーフレーム中の全てのＥ−ＭＢＭＳスロットは、１つのアウターフレーム用のＥ−ＭＢＭＳスロットを識別する情報を送ることによって伝達されることができる。例えば、４０３ビットのフィールドは、フレーム設計２でＥ−ＭＢＭＳのために使用されることができる４０３のタイムスロットに対し、各タイムスロットに対し１つのビットで、定義されることができる。各ビットは、もし対応するタイムスロットがＥ−ＭＢＭＳスロットであれば、「１」に、あるいはそうでなければ「０」に、設定されることができる。
【００５３】
割り当て情報は、様々な方法で送られることができる。一実施形態においては、割り当て情報は、オーバヘッド情報とは別に、例えば、ブロードキャストチャネル（ＢＣＨ）で、送られる。この実施形態は、もしＥ−ＭＢＭＳスロットが静的(static)あるいは半静的(semi-static)である場合は使用されてもよく、そして、割り当て情報はたまに送られることが出来る。別の実施形態においては、割り当て情報は、Ｅ−ＭＢＭＳパラメータメッセージ７１０の一部として送られる。例えば、１３ビットのフィールドまたは４０３ビットのフィールドが、Ｅ−ＭＢＭＳスロット１レコードの前に付けられる(appended)ことができる。この実施形態は、もしＥ−ＭＢＭＳスロットが半静的か動的(dynamic)である場合は、及び／又は、もし割り当て情報が少数のビットを含む場合は、使用されてもよい。
【００５４】
図７Ｂは、スーパーフレームの中で送られたストリーム用のオーバヘッド情報を搬送するために使用される、Ｅ−ＭＢＭＳパラメータメッセージ７２０の一実施形態を示す。メッセージ７２０は、Ｍタイムスロットレコードを、アウターフレーム中の各タイムスロットに対し１つのレコードで、含んでおり、これにＣＲＣフィールドが続く。各タイムスロットレコードは、Ｅ−ＭＢＭＳフィールド（図７Ｂの中では「Ｅ」として表示されている）、ストリームＩＤフィールド、ＴＢフォーマットフィールド、そしてアウター符号レートフィールドを含んでいる。各レコードに対し、Ｅ−ＭＢＭＳフィールドは、もし対応するタイムスロットがＥ−ＭＢＭＳスロットである場合は「１」に、そしてそうでなければ「０」に、設定される。もしＥ−ＭＢＭＳフィールドが「１」に設定されている場合、そのときストリームＩＤフィールドは、タイムスロットの中で送られているストリームの識別子を伝え、ＴＢフォーマットフィールドは、ストリームのために使用されたＴＢフォーマットを伝え、そして、アウター符号レートフィールドは、ストリームのために使用されたリードソロモン符号レートを伝える。もしＥ−ＭＢＭＳフィールドが「０」にセットされている場合、そのとき、タイムスロットのためのレコードの中で他のフィールドは送られない。ＣＲＣフィールドは、メッセージ中のＭタイムスロットレコードに基づいて生成されるＣＲＣ値を搬送する。Ｅ−ＭＢＭＳパラメータメッセージ７２０は、どのタイムスロットがＥ−ＭＢＭＳスロットであるかを示す情報を搬送する。
【００５５】
図７Ｃは、スーパーフレームの中で送られたストリームのためのオーバヘッド情報を搬送するために使用されＥ−ＭＢＭＳパラメータメッセージ７３０の実施形態を示す。メッセージ７３０は、Ｖのストリームレコードを、各ストリームに対し１つのレコードで、含んでおり、これにＣＲＣフィールドが続いている。各ストリームレコードは、現在のフィールド（図７Ｃにおいては「Ｐ」として表示されている）、タイムスロットインデックスフィールド、ＴＢフォーマットフィールド、そしてアウター符号レートフィールドを、含んでいる。各レコードに対し、現在のフィールドは、もしそのレコードに対応するストリームがスーパーフレームの中で送られている場合は、「１」に設定され、そしてそうでなければ「０」セットされている。もし現在のフィールドが「１」にセットされている場合、そのときタイムスロットインデックスフィールドは、ストリームが送られるタイムスロットのインデックスを伝え、ＴＢフォーマットフィールドは、ストリームのために使用されたＴＢフォーマットを伝え、そして、アウター符号レートフィールドは、ストリームのために使用されたリードソロモン符号レートを伝える。もし現在のフィールドが「０」に設定されている場合、そのときは、ストリームのためのレコードの中で他のフィールドは送られない。ＣＲＣフィールドは、メッセージ中のＶストリームレコードに基づいて生成されるＣＲＣ値を搬送する。Ｅ−ＭＢＭＳパラメータメッセージ７３０の場合、どのタイムスロットがＥ−ＭＢＭＳスロットであるのかを伝えるための追加情報は必要とされない。
【００５６】
図７Ａから７Ｃまでは、ストリームのためのオーバヘッド情報を送るためのいくつかの実施形態を示す。オーバヘッド情報はまた、他の方法で送られてもよい、そしてこれは本発明の範囲内である。
【００５７】
図８は、図３の中で示される４層フレーム構造を持った１つのストリームｘのための例示的な伝送を示す。この例において、ストリームｘは、スーパーフレームｍにおいてストリームｘに割り当てられたタイムスロット上で、４つのバーストで(in four burst)伝送される。これらの４つのバーストは、スーパーフレームの４つのアウターフレームの中の同じ位置で、アウターフレーム当り１バーストで伝送される。各バーストは、１つあるいは複数のタイムスロットに及ぶ(span)かもしれない。図８中では示されていないが、ストリームｘは、次のスーパーフレームｍ＋１において異なるタイムスロットおよびフレームに割り当てられてよい。
【００５８】
図８はまた、スーパーフレームの開始時でのヘッダフィールドにおけるＴＤＭパイロットおよびＭＣＣＨの伝送を示す。ＴＤＭパイロットは、１つ以上のタイムスロットの中で送伝されることができ、そして、同期そして多分チャネル推定のために(for synchronization and possibly channel estimation)使用されることができる。ＭＣＣＨは、１つ以上のタイムスロットの中で送られることができ、そして、Ｅ−ＭＢＭＳパラメータメッセージ７１０（図８中で示されるように）を、あるいはオーバヘッド情報を搬送する何らかの他のメッセージを、搬送できる。ＴＤＭパイロットおよびＭＣＣＨもまた、図８中で示される方法とは異なる他の方法で送られることもできる。
【００５９】
ストリームｘを受け取ることに興味を持っている端末は、ＭＣＣＨの中で送られたＥ−ＭＢＭＳパラメータメッセージを復号し、そしてそのあと、ストリームｘに関係するレコードを捜すために復号されたメッセージ中のレコードを通してスキャンするであろう。このレコードは、現在のスーパーフレームの中でストリームｘが送られるタイムスロットを示すだろう、それは、この例では、各アウターフレームにおけるタイムスロットｑ’である。端末は、そのとき、ストリームｘのために送られたＭＡＣカプセル(MAC capsule)を回復するために各アウターフレーム中のタイムスロットｑ’を処理するであろう。一実施形態においては、ＭＡＣカプセルは、変更無し（ＮＣ）フィールドおよびデータフィールドを含む。データフィールドは、ストリームｘのためのトランスポートブロックを搬送する。変更無しフィールドは、次のスーパーフレーム中のストリームｘのためのオーバヘッド情報レコードにおいて変更が無いことを示すために「１」に、あるいはそうでなければ「０」に、設定されることができる。もし変更無しフィールドが「１」に設定されている場合、端末は、次のスーパーフレーム中のＭＣＣＨを処理する必要がない。
【００６０】
図９は、ローカルデータおよび広域データを送るためのスーパーフレーム構造９００の一実施形態を示す。Ｅ−ＭＢＭＳ物理的チャネルは、ローカルデータおよび広域データを搬送できる。端末が同じローカル伝送のためのパワーの全てを集めることができるように、所定のローカルエリアの中の全ての基地局が、同じローカル伝送を同じタイムスロット中で送ることが、望ましい。同様に、所定の広域の中の全ての基地局が、同じ広域伝送を同じタイムスロット中で送ることが望ましい。スーパーフレームの各アウターフレームは、従って、（１）ローカルデータを送るために使用されるローカルセグメントに、また、（２）広域データを送るために使用される広域セグメントに、区分化される(partitioned)ことができる。ローカルＭＣＣＨは、ローカルデータを搬送するストリームのためのオーバヘッド情報を伝達でき、そして、広域ＭＣＣＨは、広域データを搬送するストリームのためのオーバヘッド情報を伝達できる。ローカルＴＤＭパイロットと広域ＴＤＭパイロットは、それぞれ、ローカル伝送と広域伝送のための同期およびチャネル推定を容易にするために、スーパーフレームの最初に伝送されることができる。
【００６１】
図１０は、ブロードキャストとマルチキャストのサービスのためのオーバヘッド情報を伝送するプロセス１０００を示す。プロセス１０００は、各スーパーフレームの中で行なわれることができる。
【００６２】
最初に、スーパーフレームの中でＯＦＤＭに使用されるタイムスロットが確認される（ブロック１０１２）。スーパーフレーム中のタイムスロットは、例えば、図６Ａ中で示されるような構造に基づき、ＯＦＤＭのために割り当てられることができる、あるいは、各タイムスロットは、ＯＦＤＭあるいはＷ−ＣＤＭＡのいずれかのために個々に割り当てられることができる。ＯＦＤＭのために使用されるタイムスロットの中で送られるべき複数のストリームのためのオーバヘッド情報が生成される（ブロック１０１４）。オーバヘッド情報は、タイムスロットと、そして、ストリームのために使用される符号化および変調とを伝達し、そして、様々なフォーマットで与えられることができる。例えば、各ストリームのためのオーバヘッド情報は、スーパーフレーム中のストリームに割り当てられるタイム素ロット、インナー符号レート、アウター符号レート、変調方式、そして、ストリームのために使用されるトランスポートブロックサイズ、等を、示すことができる。複数のレコードは、ストリームのためのオーバヘッド情報に対し形成されることができる（ブロック１０１６）。例えば、１つのレコードは、図７Ａ中で示されるように各ＯＦＤＭスロットに対して、図７Ｂ中で示されるように各タイムスロットに対して、図７Ｃ中で示されるように各ストリームに対して、等のように、形成されることができる。ストリームのためのオーバヘッド情報は、処理され、例えば、符号化されそして変調される（ブロック１０１８）、そしてその後、スーパーフレーム中のストリーム用のデータで時分割多重化される（ブロック１０２０）。スーパーフレームの中でＯＦＤＭのために使用されるタイムスロットを示す情報は、別々に送られてもよいし、あるいはオーバヘッド情報中に含まれてもよい（ブロック１０２２）。次のスーパーフレーム中のストリームのためのオーバヘッド情報において何らかの変更があるかどうかを示すために、インジケータが、各ストリームに付けられてもよい（ブロック１０２４）。
【００６３】
図１１は、基地局１１０および端末１２０のブロック図を示す。基地局１１０で、Ｗ−ＣＤＭＡ  伝送（ＴＸ）データプロセッサ１１１０は、Ｗ−ＣＤＭＡで伝送されるべきデータを受け取り、処理し、そして、Ｗ−ＣＤＭＡのための符号化データを生成する。Ｗ−ＣＤＭＡ変調器１１１２は、Ｗ−ＣＤＭＡ符号化データを処理し、そして各Ｗ−ＣＤＭＡスロットのためのＷ−ＣＤＭＡ波形を生成する。Ｗ−ＣＤＭＡ変調器１１１２による処理は、（１）各Ｗ−ＣＤＭＡ物理的チャネル用の符号化データを変調シンボルにマッピングすること(mapping)と、（２）各物理的チャネルのための変調シンボルを直交シーケンスでチャネル接続すること(channelizing)と、（３）各物理的チャネルのためのチャネル接続されたシンボルをスクランブル符号でスクランブルすること(scrambling)と、そして、（４）全ての物理的チャンネルに対しスクランブルされたデータをスケーリングし総計すること(scaling and summing)と、を含んでいる。ローカルＴＸデータプロセッサ１１２０ａは、ＯＦＤＭを使用して送信されるべきローカルデータを受け取り、処理し、そして、ローカル伝送用のデータおよびパイロットのシンボルを生成する。広域ＴＸデータプロセッサ１１２０ｂは、ＯＦＤＭを使用して送信されるべき広域データを受け取り、処理し、そして、広域伝送用のデータおよびパイロットのシンボルを生成する。ローカル及び／又は広域ＴＸデータプロセッサ１１２０はまた、ＭＣＣＨのためのオーバヘッド情報（例、Ｅ−ＭＢＭＳパラメータメッセージ）も処理する。ＯＦＤＭ変調器１１２２は、データとパイロットのシンボル上でＯＦＤＭ変調を行ない、ＯＦＤＭシンボルを生成し、そして、各Ｅ−ＭＢＭＳスロットのためのＯＦＤＭ波形を形成する。マルチプレクサ（Ｍｕｘ）１１２４は、Ｗ−ＣＤＭＡ波形をダウンリンクＷ−ＣＤＭＡスロット上に多重化し、ＯＦＤＭ波形をＥ−ＭＢＭＳスロット上に多重化し、そして、出力信号を提供する。送信機ユニット（ＴＭＴＲ）１１２６は、出力信号を調整し（例、アナログに変換する、フィルタにかける、増幅する、また、周波数をアップコンバートする）、そして、アンテナ１１２８から送信される、変調された信号を生成する。
【００６４】
端末１２０で、アンテナ１１５２は、基地局１１０によって送信された、変調された信号を受け取り、そして、受け取られた信号をレシーバユニット（ＲＣＶＲ）１１５４に提供する。レシーバユニット１１５４は、受け取られた信号を調整し、デジタル化し、そして処理し、そして、サンプルのストリームをデマルチプレクサ（Ｄｅｍｕｘ）１１５６に提供する。デマルチプレクサ１１５６は、ダウンリンクＷ−ＣＤＭＡスロット中のサンプルをＷ−ＣＤＭＡ復調器（Ｄｅｍｏｄ）１１６０に、そして、Ｅ−ＭＢＭＳスロット中のサンプルをＯＦＤＭ復調器１１７０に、提供する。Ｗ−ＣＤＭＡ復調器１１６０は、受け取られたサンプルを、Ｗ−ＣＤＭＡ変調器１１１２による処理に相補的な方法で(in a manner complementary to)処理し、そしてシンボル推定値(symbol estimates)を提供する。Ｗ−ＣＤＭＡレシーブ（ＲＸ）データプロセッサ１１６２は、シンボル推定値を処理し（例、復調する、デインタリーブする(deinterleaves)、そして復号する）、そしてＷ−ＣＤＭＡ用に復号された信号を提供する。ＯＦＤＭ復調器１１７０は、受け取られたサンプル上でＯＦＤＭ復調を行ない、そしてデータシンボル推定値を提供する。ローカルＲＸデータプロセッサ１１７２ａは、ローカル伝送用のデータシンボル推定値を処理し、そして、復号されたローカルデータを提供する。広域ＲＸデータプロセッサ１１７２ｂは、広域伝送用のデータシンボル推定値を処理し、そして、復号された広域データを提供する。一般に、端末１２０での処理は、基地局１１０での処理に相補的である。
【００６５】
コントローラ１１３０および１１８０は、基地局１１０および端末１２０での動作をそれぞれ管理する(direct)。メモリユニット１１３２および１１８２は、コントローラ１１３０および１１８０によって使用されるプログラムコードおよびデータを、それぞれ保存する。コントローラ１１３０及び／又はスケジューラ１１３４は、タイムスロットをダウンリンクおよびアップリンクのために割り当て、ダウンリンクスロットをＷ−ＣＤＭＡおよびＯＦＤＭのために割り当て、そして、Ｅ−ＭＢＭＳスロットをストリームに割り当てる。
【００６６】
ここに説明されたオーバヘッド情報を伝送するための技術は、様々な手段によってインプリメントされることができる。例えば、これらの技術は、ハードウェア、ソフトウェアあるいはそれの組合せ中でインプリメントされるかもしれない。ハードウェアインプリメンテーションの場合、基地局でオーバヘッド情報を生成し、処理し、そして伝送するために使用される処理ユニットは、１以上の、特定用途向け集積回路（ＡＳＩＣｓ）、デジタル信号プロセッサ（ＤＳＰｓ）、デジタル信号処理デバイス（ＤＳＰＤｓ）、プログラマブル論理デバイス（ＰＬＤｓ）、フィールドプログラマブルゲートアレイ（ＦＰＧＡｓ）、プロセッサ、コントローラ、マイクロコントローラ、マイクロプロセッサ、電子デバイス、ここに記載された機能を行なうように設計された他の電子ユニット、あるいはそれらの組合せの中でインプリメントされることができる。端末でオーバヘッド情報を受け取りそして使用するために用いられる処理ユニットもまた、１以上のＡＳＩＣｓ、ＤＳＰｓ、プロセッサなどの中でインプリメントされることができる。
【００６７】
ソフトウェアインプリメンテーションの場合は、技術は、ここに説明された機能を行なうモジュール（例、処理手順、機能、等）でインプリメントされることができる。ソフトウェアコードが、メモリユニット（例、図１１中のメモリユニット１１３２あるいは１１８２）に保存され、そして、プロセッサ（例、コントローラ１１３０あるいは１１８０）によって実行されることができる。メモリユニットは、プロセッサ内に又はプロセッサの外部にインプリメントされることができ、その場合には、それは、技術的に知られているように、様々な手段を経由してプロセッサに通信的に結合されることができる。
【００６８】
開示された実施形態の以上の説明は、当業者の誰もが本発明を作りまたは使用するのを可能とするように提供されている。これらの実施形態の様々な変形は当業者には容易に明らかであり、そして、ここに定義された包括的な原理は本発明の精神或いは範囲を逸脱することなく他の実施形態に適用されることが出来る。従って、本発明は、ここで示された実施形態に限定されるように意図されてはおらず、ここに開示された原理及び新規な特徴と整合する最も広い範囲が与えられるべきものである。
【図面の簡単な説明】
【００６９】
【図１】図１は無線通信システムを示す。
【図２】図２は、図１におけるシステムのためのローカルおよび広域サービスエリアを示す。
【図３】図３は、Ｗ−ＣＤＭＡおよびＯＦＤＭをサポートする４層フレーム構造を示す。
【図４】図４は、フレームにおけるＷ−ＣＤＭＡおよびＯＦＤＭの多重化を示す。
【図５】図５は、Ｗ−ＣＤＭＡおよびＯＦＤＭのための処理を示す。
【図６Ａ】図６Ａは、ＯＦＤＭのために使用されるタイムスロットを選択するための実施形態を示す。
【図６Ｂ】図６Ｂは、ＯＦＤＭのために使用されるタイムスロットを選択するための実施形態を示す。
【図７Ａ】図７Ａは、ＯＦＤＭで送られるストリームのためのオーバヘッド情報を搬送するＥ−ＭＢＭＳパラメータメッセージの実施形態を示す。
【図７Ｂ】図７Ｂは、ＯＦＤＭで送られるストリームのためのオーバヘッド情報を搬送するＥ−ＭＢＭＳパラメータメッセージの実施形態を示す。
【図７Ｃ】図７Ｃは、ＯＦＤＭで送られるストリームのためのオーバヘッド情報を搬送するＥ−ＭＢＭＳパラメータメッセージの実施形態を示す。
【図８】図８は、４層フレーム構造における１つのストリームのための伝送を示す。
【図９】図９は、ローカルと広域データを送るためのスーパーフレーム構造を示す。
【図１０】図１０は、オーバヘッド情報を伝送するプロセスを示す。
【図１１】図１１は、基地局と端末のブロック図を示す。
【図１】
2008502222.tif 000007
【図２】
2008502222.tif 000008
【図３】
2008502222.tif 000009
【図４】
2008502222.tif 000010
【図５】
2008502222.tif 000011
【図６Ａ】
2008502222.tif 000012
【図６Ｂ】
2008502222.tif 000013
【図７Ａ】
2008502222.tif 000014
【図７Ｂ】
2008502222.tif 000015
【図７Ｃ】
2008502222.tif 000016
【図８】
2008502222.tif 000017
【図９】
2008502222.tif 000018
【図１０】
2008502222.tif 000019
【図１１】
2008502222.tif 000020
【国際調査報告】
2008502222.tif 000021
2008502222.tif 000022
2008502222.tif 000023